(57)【要約】【課題】高齢者や麻痺を有する人などにとっても使い勝手を向上させることができるトイレユニットを提供することを目的とする。【解決手段】便器と、前記便器の側方においてトイレブースの壁面から突出して設けられたライニングと、前記ライニングの上面に設けられた手洗い器と、前記手洗い器の下方における前記ライニングの前面に設けられた操作部と、を備え、前記ライニングは、前記ライニングの内部に設けられ廃棄物を受け入れ可能なダストボックスを有し、前記操作部の下方である前記ライニングの前面に前記ダストボックスの投入口が形成され、前記ライニングの前面に対して垂直方向にみたときに、前記手洗い器と前記操作部と前記投入口とが上下方向に連なっていることを特徴とするトイレユニットが提供される。【選択図】図１
2018175993.tif 000002
【特許請求の範囲】
【請求項１】
便器と、
前記便器の側方においてトイレブースの壁面から突出して設けられたライニングと、
前記ライニングの上面に設けられた手洗い器と、
前記手洗い器の下方における前記ライニングの前面に設けられた操作部と、
を備え、
前記ライニングは、前記ライニングの内部に設けられ廃棄物を受け入れ可能なダストボックスを有し、
前記操作部の下方である前記ライニングの前面に前記ダストボックスの投入口が形成され、
前記ライニングの前面に対して垂直方向にみたときに、前記手洗い器と前記操作部と前記投入口とが上下方向に連なっていることを特徴とするトイレユニット。
【請求項２】
前記投入口は、前記便器の上に設けられた便座に使用者が着座した状態で廃棄物を投入できるように形成されたことを特徴とする請求項１記載のトイレユニット。
【請求項３】
前記ライニングの前面に対して垂直方向にみたときに、前記投入口の一部は、前記便器と重なることを特徴とする請求項１または２に記載のトイレユニット。  
【請求項４】
前記手洗い器は、水が前記操作部へ流れることを抑える防止手段を有し、
前記防止手段は、前記ライニングの前面と対向する面が前記ライニングの前面から離間している前板を有することを特徴とする請求項１〜３のいずれか１つに記載のトイレユニット。
【請求項５】
前記前板は、前記手洗い器の上板に連接し下方へ延在していることを特徴とする請求項４記載のトイレユニット。
【請求項６】
前記ライニングは、前記ライニングに対して開閉自在に軸支され前記ダストボックスの前記便器の側を覆うパネルを有することを特徴とする請求項１〜５のいずれか１つに記載のトイレユニット。
【請求項７】
前記ライニングは、前記ライニングに対して着脱自在に設けられ前記操作部を固定可能なパネルを有し、
前記操作部を固定可能な前記パネルが前記ライニングから取り外されると、前記ライニングに形成され前記ライニングの内部と前記ライニングの外部とを貫通する点検口が外部に露出することを特徴とする請求項１〜６のいずれか１つに記載のトイレユニット。
【請求項８】
前記手洗い器は、吐水口から斜め下方かつ斜め後方へ向かって吐水可能な水栓を有することを特徴とする請求項１〜７のいずれか１つに記載のトイレユニット。
【発明の詳細な説明】
【技術分野】
【０００１】
本発明の態様は、一般的に、トイレユニットに関し、例えば、高齢者や四肢のいずれかに麻痺を有する人などが利用するのに適したトイレユニットに関する。
【背景技術】
【０００２】
高齢者や下肢に麻痺などを有する人が利用するトイレユニットは、車椅子で出入りすることができ、また、車椅子がトイレユニットの内部で方向転換できる必要がある。そして、便器、手洗い器、手すり、操作部などへのアプローチを容易に行い得るように構成する必要がある。
【０００３】
下肢に麻痺を有する人などが利用するのに際して、使い勝手に優れたトイレユニットや身障者用トイレが提案されている（特許文献１および２）。  
特許文献１に記載されたトイレユニットは、ライニングなどと呼ばれる箱体を備えている。そして、箱体に配置された手洗い器および操作手段は、手洗い器からの水が操作手段に掛かることを考慮して、互いに並列に配置すなわち水平方向にずれた位置に配置されている。  
また、特許文献２に記載された身障者用トイレは、配管ケースなどと呼ばれる箱体を備えている。そして、箱体に配置された洗面器および操作ボタンは、洗面器からの水が操作ボタンにかかることを考慮して、水平方向にずれた位置に配置されている。
【０００４】
しかし、手洗い器と操作手段とが、互いに並列に配置あるいは水平方向にずれた位置に配置されていると、使用者が便座に着座した状態で手洗い器や操作手段などを操作する場合に、手洗い器および操作手段のいずれか一方が近すぎたり、手洗い器および操作手段のいずれか他方が遠すぎることがある。また、使用者からみて近い位置に設置された手洗い器あるいは操作手段を使用する場合には、使用者は、上体を回転させるようにするいわゆる「ひねり」動作を行う必要がある。このように、人体の身長差を含め、使い勝手を向上させるという点においては改善の余地がある。
【先行技術文献】
【特許文献】
【０００５】
【特許文献１】特開２００８−２８４０４２号公報
【特許文献２】特開平６−１０８６７７号公報
【発明の概要】
【発明が解決しようとする課題】
【０００６】
本発明は、かかる課題の認識に基づいてなされたものであり、高齢者や麻痺を有する人などにとっても使い勝手を向上させることができるトイレユニットを提供することを目的とする。
【課題を解決するための手段】
【０００７】
第１の発明は、便器と、前記便器の側方においてトイレブースの壁面から突出して設けられたライニングと、前記ライニングの上面に設けられた手洗い器と、前記手洗い器の下方における前記ライニングの前面に設けられた操作部と、を備え、前記ライニングは、前記ライニングの内部に設けられ廃棄物を受け入れ可能なダストボックスを有し、前記操作部の下方である前記ライニングの前面に前記ダストボックスの投入口が形成され、前記ライニングの前面に対して垂直方向にみたときに、前記手洗い器と前記操作部と前記投入口とが上下方向に連なっていることを特徴とするトイレユニットである。
【０００８】
このトイレユニットによれば、使用者が便器に腰掛けた状態で手洗い器や操作部などを操作する場合に、手洗い器と操作部とのいずれかが近すぎたり、手洗い器と操作部とのいずれかが遠すぎたりすることを抑えることができる。そのため、使用者は、便器に腰掛けた状態で、手洗い器でより楽に手を洗ったり、操作部をより楽に操作することができる。このように、使い勝手を向上させることができるトイレユニットを提供することができる。
【０００９】
第２の発明は、第１の発明において、前記投入口は、前記便器の上に設けられた便座に使用者が着座した状態で廃棄物を投入できるように形成されたことを特徴とするトイレユニットである。  
このトイレユニットによれば、使用者などは、便器に腰掛けた状態で、例えばライニングの前面に形成された投入口などからゴミなどを投入し、ダストボックスに捨てることができる。
【００１０】
第３の発明は、第１または第２の発明において、前記ライニングの前面に対して垂直方向にみたときに、前記投入口の一部は、前記便器と重なることを特徴とするトイレユニットである。  
このトイレユニットによれば、使用者などは、便器に腰掛けた状態で、例えばライニングの前面に形成された投入口などからゴミなどを投入し、ダストボックスに捨てることができる。
【００１１】
第４の発明は、第１〜第３のいずれか１つの発明において、前記手洗い器は、水が前記操作部へ流れることを抑える防止手段を有し、前記防止手段は、前記ライニングの前面と対向する面が前記ライニングの前面から離間している前板を有することを特徴とするトイレユニットである。
【００１２】
このトイレユニットによれば、前板のライニングの前面と対向する面がライニングの前面から離間しているため、水が操作部へ流れることを確実に抑えることができる。また、水が操作部に掛かることを確実に抑えることができる。
【００１３】
第５の発明は、第４の発明において、前記前板は、前記手洗い器の上板に連接し下方へ延在していることを特徴とするトイレユニットである。
このトイレユニットによれば、水が操作部へ流れることをより確実に抑えることができる。また、水が操作部に掛かることをより確実に抑えることができる。
【００１４】
第６の発明は、第１〜第５のいずれか１つの発明において、前記ライニングは、前記ライニングに対して開閉自在に軸支され前記ダストボックスの前記便器の側を覆うパネルを有することを特徴とするトイレユニットである。  
このトイレユニットによれば、管理者およびメンテナンス者などは、パネルを開くことによりダストボックスをライニングから取り出すことができ、ダストボックスに投入されたゴミなどをより楽に廃棄することができる。
【００１５】
第７の発明は、第１〜第６のいずれか１つの発明において、前記ライニングは、前記ライニングに対して着脱自在に設けられ前記操作部を固定可能なパネルを有し、前記操作部を固定可能な前記パネルが前記ライニングから取り外されると、前記ライニングに形成され前記ライニングの内部と前記ライニングの外部とを貫通する点検口が外部に露出することを特徴するトイレユニットである。
【００１６】
このトイレユニットによれば、例えば作業者などは、操作部を固定可能なパネルをライニングから取り外すことにより、ライニングの内部に設けられた排水トラップや水栓機能部などのメンテナンスを点検口を介して行うことができる。また、作業者などは、操作部ごとパネルをライニングから取り外すことにより、操作部のメンテナンスをより楽に行うことができる。さらに、作業者などは、操作部の電気的接続の作業を点検口を介してより楽に行うことができる。
【００１７】
第８の発明は、第１〜第７のいずれか１つの発明において、前記手洗い器は、吐水口から斜め下方かつ斜め後方へ向かって吐水可能な水栓を有することを特徴とするトイレユニットである。
【００１８】
このトイレユニットによれば、使用者は、便器に腰掛けた状態で手を伸ばすことにより、水栓の吐水口から吐出される水で手を洗うことができる。また、使用者は、便器に腰掛けた状態でライニングに寄りかかって、すなわち例えば肘や腕などをライニングの上面に乗せて、手洗い器で手を洗うことができる。
【発明の効果】
【００１９】
本発明の態様によれば、麻痺を有する人などにとっても使い勝手を向上させることができるトイレユニットが提供される。
【図面の簡単な説明】
【００２０】
【図１】本発明の実施の形態にかかるトイレユニットを表す模式的斜視図である。
【図２】本実施形態にかかるトイレユニットを表す模式的平面図である。
【図３】本実施形態の手洗い器の近傍を拡大して眺めた模式的平面図である。
【図４】図３に表した切断面Ａ−Ａにおける模式的断面図である。
【図５】本実施形態の第１のパネルが取り外された状態を表す模式的斜視図である。
【図６】手洗い器の具体例を例示する模式的斜視図である。
【図７】手洗い器の具体例を例示する模式的斜視図である。
【図８】手洗い器の具体例を例示する模式的斜視図である。
【図９】本発明の他の実施の形態にかかるトイレユニットを表す模式的平面図である。
【図１０】本発明の他の実施の形態にかかるトイレユニットを表す模式的平面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態にかかるトイレユニットを表す模式的斜視図である。  
図２は、本実施形態にかかるトイレユニットを表す模式的平面図である。  
なお、図２は、第１のライニング１１０の前面１１３あるいは第１の壁面１０１に対して垂直方向にみたときの模式的平面図である。
【００２２】
本実施形態にかかるトイレユニット１００は、第１のライニング１１０と、第２のライニング１２０と、手洗い器１３０と、操作部１４０と、便器１６１と、を備える。操作部１４０は、第１の操作部１４１と、第２の操作部１４２と、を有する。
【００２３】
便器１６１は、いわゆる「床置き式」の水洗便器であり、トイレユニット１００が設置されるトイレブースなどの床面１０５に設置されている。なお、便器１６１は、いわゆる「壁掛け式」の水洗便器であってもよく、第２のライニング１２０の前面１２３に設けられていてもよい。便器１６１の後方上部には、例えば使用者の「おしり」などを洗浄可能な衛生洗浄装置１６３が設けられている。衛生洗浄装置１６３は、開閉自在に軸支された便座１６５を有する。
【００２４】
ここで、本願明細書においては、床面１０５に対して平行な水平方向であって便座１６５に座った使用者からみて、前方を「前方」とし、後方を「後方」とし、左側方を「左側方」とし、右側方を「右側方」とする。また、床面１０５に対して垂直な鉛直方向であって便座１６５に座った使用者からみて、上方を「上方」とし、下方を「下方」とする。
【００２５】
第１のライニング１１０は、トイレユニット１００が設置されるトイレブースなどの第１の壁面１０１から突出するようにして設けられている。第１のライニング１１０は、少なくとも前面と上面とが遮蔽された奥行方向に薄い箱形状を呈し、図示しない堅牢なフレーム部材と複数枚の板状部材とにより形成されている。なお、第１のライニング１１０の側面がトイレブースなどの空間に露出する場合には、これを側面板で覆うようにすることが好ましい。また、背面側（第１の壁面１０１の側）、底面側（床面１０５の側）に板状部材が設けられていてもよい。
【００２６】
図１に表したように、第１の壁面１０１および第１のライニング１１０は、便器１６１の左側方に設けられている。但し、これだけに限定されず、第１の壁面１０１および第１のライニング１１０は、便器１６１の右側方に設けられていてもよい。本実施形態では、第１の壁面１０１および第１のライニング１１０が便器１６１の左側方に設けられている場合を例に挙げて説明する。
【００２７】
第２のライニング１２０は、便器１６１の後方に設けられた第２の壁面１０２から突出するようにして設けられている。第２のライニング１２０の構造は、前述した第１のライニング１１０の構造と同様である。
【００２８】
手洗い器１３０は、第１のライニング１１０の上面１１１に少なくとも一部を埋め込むようにして設けられている。手洗い器１３０は、ボウル部１３１と、水栓１３３と、を有する。なお、手洗い器１３０のボウル部１３１と、第１のライニング１１０の上面１１１と、は、一体的に形成されていてもよい。図２に表したように、水栓１３３は、ボウル部１３１の前方部の開口縁部（リム部）に設けられている。水栓１３３の先端には、吐水口１３３ａが設けられている。そして、図２に表した矢印Ａ１のように、水栓１３３は、吐水口１３３ａから斜め下方且つ斜め後方へ向かって吐水することができる。
【００２９】
水栓１３３は、いわゆる自動水栓であり、吐水口１３３ａの近傍に図示しない検知センサを有する。そして、検知センサが例えば使用者の手などを検知すると、水栓１３３は、図２に表した矢印Ａ１の方向へ吐水口１３３ａから水を吐出することができる。水栓１３３の吐水口１３３ａから吐出された水は、排水口１３１ａ（図４参照）および排水トラップ１３６（図５参照）を通して外部へ排出される。
【００３０】
ここで、第１のライニング１１０および第２のライニング１２０の高さＤ１（図２参照）は、例えば約７５０〜８５０ミリメートル（ｍｍ）程度である。また、前述したように、手洗い器１３０の少なくとも一部は、第１のライニング１１０の上面１１１に埋め込まれている。
【００３１】
これによれば、使用者は、便座１６５に着座した状態で手を伸ばすことにより、水栓１３３の吐水口１３３ａから吐出される水で手を洗うことができる。また、使用者は、便座１６５に着座した状態で第１のライニング１１０に寄りかかって、すなわち例えば肘や腕などを第１のライニング１１０の上面１１１に乗せて、手洗い器１３０で手を洗うことができる。このとき、前述したように、水栓１３３は、ボウル部１３１の前方部に設けられている。そのため、手を伸ばしたときに肘などが水栓１３３と接触することを抑えることができる。つまり、使用者は、水栓１３３に邪魔されることなく、より楽に手を洗うことができる。
【００３２】
手洗い器１３０の下方には、第１の操作部１４１および第２の操作部１４２が設けられている。言い換えれば、手洗い器１３０は、第１の操作部１４１および第２の操作部１４２の上方に設けられている。また、第１の操作部１４１および第２の操作部１４２は、第１のライニング１１０の前面１１３に設けられている。第１の操作部１４１は、衛生洗浄装置１６３の各動作の指令（例えば、局部洗浄の開始またはその停止、温風の送風またはその停止、洗浄位置の調整、吐水強さの調整）をするためのスイッチや、局所照明のＯＮ／ＯＦＦをするためのスイッチ、暖房のＯＮ／ＯＦＦをするためのスイッチなどを有する。ただし、これらに限定されるわけではなく、第１の操作部１４１は、トイレユニット１００に備えられる各種の装置、器具などの操作や調整を行うためのスイッチを適宜を有していてもよい。第２の操作部は、便器洗浄動作の指令をするためのスイッチを有する。
【００３３】
これによれば、使用者が便座１６５に着座した状態で手洗い器１３０や第１の操作部１４１や第２の操作部１４２などを操作する場合に、手洗い器１３０と第１の操作部１４１と第２の操作部１４２とのいずれかが近すぎたり、手洗い器１３０と第１の操作部１４１と第２の操作部１４２とのいずれかが遠すぎたりすることを抑えることができる。そのため、使用者は、便座１６５に着座した状態で、手洗い器１３０でより楽に手を洗ったり、第１の操作部１４１や第２の操作部１４２をより楽に操作することができる。このように、本実施形態によれば、使い勝手を向上させることができるトイレユニットを提供することができる。
【００３４】
第１のライニング１１０の前面１１３には、非常呼び出しボタン１４５と、トイレットペーパーホルダー１８５と、固定手すり１７１と、がさらに設けられている。図２に表したように、非常呼び出しボタン１４５は、第１の操作部１４１の水平方向（横方向）に並列して設けられている。但し、非常呼び出しボタン１４５は、第１の操作部１４１または第２の操作部１４２の下方に設けられていてもよい。
【００３５】
固定手すり１７１は、例えば円形の断面形状を有するパイプ状部材により形成されている。固定手すり１７１は、便器１６１の左側方の上方に略水平に設けられた水平部１７１ａと、水平部１７１ａと連接し便器１６１の前方で略垂直方向に立ち上がる垂直部１７１ｂと、垂直部１７１ｂと連接し第１の壁面１０１へ向かって延在する固定部１７１ｃと、を有する。水平部１７１ａの両端は、第１のライニング１１０の前面１１３に固定されている。固定部１７１ｃの一端は、第１の壁面１０１に固定されている。
【００３６】
水平部１７１ａの中心位置の高さＤ２は、例えば約６３０〜６７０ｍｍ程度に設定されている。そのため、図２に表したように、水平部１７１ａは、第１の操作部１４１および第２の操作部１４２の下端部の近傍に位置することができる。これにより、使用者は、便座１６５に着座した状態で、例えば手首などを水平部１７１ａの上に載置しつつ第１の操作部１４１および第２の操作部１４２をより楽に操作することができる。  
また、水平部１７１ａの高さは、便座１６５に着座した姿勢で体を支えるのに適した高さとなっている。そのため、使用者は、水平部１７１ａを握ったり、水平部１７１ａの上に手や腕を載置したりすることで、容易に体を支えることができる。そして、使用者は、便座１６５から離座する場合においては、垂直部１７１ｂを握ることで容易に体を起こし立ち上がることができる。
【００３７】
トイレットペーパーホルダー１８５は、便器１６１の前方であって、固定手すり１７１の水平部１７１ａの下方に設けられている。そのため、使用者は、便座１６５に着座した状態でトイレットペーパーを取り出すことができる。また、トイレットペーパーホルダー１８５は、使用者が水平部１７１ａを握る場合などに邪魔にならない位置に配置されている。
【００３８】
トイレットペーパーホルダー１８５の下方には、ダストボックス１８１が設けられている。ダストボックス１８１は、第１のライニング１１０の内部に設けられ、第１のライニング１１０の前面１１３により隠蔽されている。使用者は、便座１６５に着座した状態で、第１のライニング１１０の前面１１３に形成された投入口１８３から例えばゴミなどを投入し、ダストボックス１８１に捨てることができる。
【００３９】
便器１６１の上方であって第２のライニング１２０の上端部の近傍には、背もたれ１６７が設けられている。使用者は、便座１６５に座ったときには、背もたれ１６７に背中をもたせることができる。そのため、使用者は、楽な状態で便器１６１を使用することができる。また、背もたれ１６７は、軟質材料などにより形成されることでクッション性を有することができる。また、背もたれ１６７は、下肢に麻痺を有する人が車椅子から便器１６１に乗り移る際に、跳ね上げ手すり１７３と固定手すり１７１の水平部１７１ａとを手でつかみ、便器１６１の前方から第２のライニング１２０の方向に向けて移動を行う動作（馬乗り動作）をサポートすることができる。これにより、下肢に麻痺を有する人は、馬乗り動作を円滑に行うことができる。
【００４０】
第１のライニング１１０の前方には、洗面器１５０が設けられている。洗面器１５０は、ボウル部１５１と、水栓１５３と、液体石鹸供給器１５５と、を有する。水栓１５３は、ボウル部１５１の前方部のリム部に設けられている。液体石鹸供給器１５５は、ボウル部１５１の後方部のリム部に設けられている。水栓１５３の先端には、吐水口１５３ａが設けられている。そして、図２に表した矢印Ａ２のように、水栓１５３は、吐水口１５３ａから斜め下方且つ斜め後方へ向かって吐水することができる。水栓１５３は、手洗い器１３０の水栓１３３と同様に、いわゆる自動水栓である。また、洗面器１５０の上方の第１の壁面１０１には、鏡１５７が設けられている。
【００４１】
図３は、本実施形態の手洗い器の近傍を拡大して眺めた模式的平面図である。  
図４は、図３に表した切断面Ａ−Ａにおける模式的断面図である。
【００４２】
図１および図２に関して前述したように、第１の操作部１４１および第２の操作部１４２は、手洗い器１３０の下方に設けられている。図３に表したように、第１のライニング１１０の前面１１３に対して垂直方向にみたときに、第１の操作部１４１および第２の操作部１４２は、例えば手洗い器１３０の幅Ｄ３の範囲内であって、手洗い器１３０の下方に設けられている。なお、第１の操作部１４１の設置形態は、これだけに限定されず、第１の操作部１４１の一部が手洗い器１３０の幅Ｄ３の範囲内にあればよい。また、第２の操作部１４２の設置形態は、これだけに限定されず、第２の操作部１４２の一部が手洗い器１３０の幅Ｄ３の範囲内にあればよい。
【００４３】
図４に表したように、第１のライニング１１０は、第１のパネル１１８を有する。第１のパネル１１８の前面は、第１のライニング１１０の前面１１３を形成している。第１の操作部１４１は、第１のパネル１１８に設けられている。例えば、第１の操作部１４１は、第１のパネル１１８に設けられた図示しない穴に圧入され固定されている。第２の操作部１４２は、第１の操作部１４１と同様に、第１のパネル１１８に設けられている。
【００４４】
第１のパネル１１８は、前面１１３とは反対の側（裏面の側）に係合部１１８ａを有する。一方、第１のライニング１１０には、第１のパネル１１８の係合部１１８ａと係合可能な係合部１１２が設けられている。第１のパネル１１８は、第１のパネル１１８の係合部１１８ａと第１のライニング１１０の係合部１１２とが係合することで、第１のライニング１１０に固定されている。そして、例えば作業者などは、図４に表した矢印Ａ３のように、第１のパネル１１８を上方へ移動させることにより、第１のパネル１１８の係合部１１８ａと第１のライニング１１０の係合部１１２との係合状態を解除することができる。これにより、第１の操作部１４１および第２の操作部１４２が固定された状態の第１のパネル１１８を第１のライニング１１０から取り外すことができる。これについては、後に詳述する。
【００４５】
手洗い器１３０は、前板（防止手段）１３５を有する。手洗い器１３０の前板１３５は、ボウル部１３１のリム部の少なくとも一部を形成する上板１３４と連接し下方へ向かって延在している。手洗い器１３０の前板１３５は、第１のライニング１１０の第１のパネル１１８よりも便器１６１の側に設けられている。言い換えれば、第１のライニング１１０の第１のパネル１１８は、手洗い器１３０の前板１３５からみて第１の壁面１０１の側へ後退している。つまり、手洗い器１３０の前板１３５の裏面（前面１１３と対向する面）１３５ａは、第１のライニング１１０の前面１１３から便器１６１の側へ離間している。これにより、手洗い器１３０の前板１３５は、手洗い器１３０から溢れた水や手洗い器１３０の表面を伝った水などが第１の操作部１４１および第２の操作部１４２へ流れることを抑えることができる。
【００４６】
すなわち、図４に表した矢印Ａ４のように、手洗い器１３０から溢れた水や手洗い器１３０の表面を伝った水などは、手洗い器１３０の前板１３５の表面を流れ、手洗い器１３０の前板１３５の下端部（木口）へ向かう。そして、図４に表した矢印Ａ５のように、手洗い器１３０の前板１３５の表面を流れた水は、手洗い器１３０の前板１３５の下端部から下方へ落ちる。このとき、手洗い器１３０の前板１３５の裏面１３５ａは、第１のライニング１１０の前面１１３から便器１６１の側へ離間しているため、水が第１の操作部１４１および第２の操作部１４２へ流れることを抑えることができる。言い換えれば、水が第１の操作部１４１および第２の操作部１４２に掛かることを抑えることができる。
【００４７】
図３および図４に表した段差Ｄ４のように、手洗い器１３０の前板１３５の下端部は、第１のライニング１１０の前板１１５の下端部よりも下方に位置している。そのため、手洗い器１３０の前板１３５の下端部に到達した水が、第１のライニング１１０の前板１１５の下端部を伝って横方向へ流れることを抑えることができる。これにより、手洗い器１３０の周辺が水に濡れたり、水で汚れたりすることを抑えることができる。  
また、手洗い器１３０の前板１３５は、第１のパネル１１８を取り外すときに上方へ移動させるための空間（矢印Ａ３に表した部分の空間）を覆い隠すことができる。そのため、トイレユニット１００の意匠性が低下することを抑えることができる。
【００４８】
図４に表したように、固定手すり１７１の水平部１７１ａは、第１の操作部１４１および第２の操作部１４２の下端部の近傍に位置している。これにより、使用者は、便座１６５に着座した状態で、例えば手首などを水平部１７１ａの上に載置しつつ第１の操作部１４１および第２の操作部１４２をより楽に操作することができる。
【００４９】
図５は、本実施形態の第１のパネルが取り外された状態を表す模式的斜視図である。  
なお、図５は、固定手すり１７１が省略された状態を表している。
【００５０】
本実施形態の第１のパネル１１８は、第１のライニング１１０に対して着脱自在に設けられている。つまり、図４に関して前述したように、例えば作業者などは、第１の操作部１４１および第２の操作部１４２が固定された状態の第１のパネル１１８を第１のライニング１１０から取り外すことができる。図５に表したように、第１のパネル１１８が取り外された状態では、点検口１１７が外部に露出する。点検口１１７は、第１のライニング１１０の内部と第１のライニング１１０の外部とを貫通している。第１のライニング１１０の内部には、ボウル部１３１の排水口１３１ａに接続された排水トラップ１３６や、図示しない電磁弁および制御部などを有する水栓機能部１３７が設けられている。
【００５１】
作業者などは、第１のパネル１１８を第１のライニング１１０から取り外すことにより、第１のライニング１１０の内部に設けられた排水トラップ１３６や水栓機能部１３７などのメンテナンスを点検口１１７を介して行うことができる。また、作業者などは、第１の操作部１４１および第２の操作部１４２ごと第１のパネル１１８を第１のライニング１１０から取り外すことにより、第１の操作部１４１および第２の操作部１４２のメンテナンスをより楽に行うことができる。さらに、作業者は、第１の操作部１４１および第２の操作部１４２の電気的接続の作業を点検口１１７を介してより楽に行うことができる。なお、作業者などは、固定手すり１７１が第１のライニング１１０および第１の壁面１０１に固定された状態のままで、第１のパネル１１８を第１のライニング１１０から取り外すことができる。
【００５２】
第１のライニング１１０は、ダストボックス１８１の前側（便器１６１の側）に設けられた第２のパネル１１９を有する。第２のパネル１１９の前面は、第１のライニング１１０の前面１１３を形成している。第２のパネル１１９は、第１のライニング１１０に対して開閉自在に軸支されている。そして、図５に表した矢印Ａ６のように、第２のパネル１１９は、支持軸１１９ａを略中心として第１のライニング１１０に対して開閉自在に回動することができる。使用者などは、第２のパネル１１９を開くことによりダストボックス１８１を第１のライニング１１０から取り出すことができ、ダストボックス１８１に投入されたゴミなどをより楽に廃棄することができる。
【００５３】
図６〜図８は、手洗い器の具体例を例示する模式的斜視図である。  
図６に表した手洗い器１３０ａでは、手洗い器１３０ａの前縁の中央部１３８ａの高さは、手洗い器１３０ａの前縁の両側部１３９ａの高さよりも低い。これにより、図６に表した矢印Ａ１１〜Ａ１３に表したように、水がボウル部１３１から溢れた場合でも、第１のライニング１１０の前面１１３から離間している手洗い器１３０の前縁の中央部１３８ａから水を落とすことができる。そのため、ボウル部１３１から溢れた水が第１の操作部１４１および第２の操作部１４２へ流れることを抑えることができる。
【００５４】
図７に表した手洗い器１３０ｂでは、手洗い器１３０ｂの前縁の中央部１３８ｂの近傍を除き、上方へ突出した凸部１３９ｂが手洗い器１３０ｂの外周に設けられている。これにより、図７に表した矢印Ａ１４〜Ａ１６に表したように、水がボウル部１３１から溢れた場合でも、第１のライニング１１０の前面１１３から離間している手洗い器１３０の前縁の中央部１３８ｂからより確実に水を落とすことができる。そのため、ボウル部１３１から溢れた水が第１の操作部１４１および第２の操作部１４２へ流れることを抑えることができる。
【００５５】
図８に表した手洗い器１３０ｃでは、手洗い器１３０ｃの前縁の中央部１３８ｃの幅は、手洗い器１３０ｃの前縁の両側部１３９ｃの幅よりも狭い。このような手洗い器１３０ｃでは、手洗い器１３０の中央部１３８ｃの近傍に存在する第１の操作部１４１あるいは第２の操作部１４２が、前板１３５と同程度まで便器１６１の側へ出る場合がある。あるいは、手洗い器１３０ｃの中央部１３８ｃの近傍に存在する第１の操作部１４１あるいは第２の操作部１４２が、前板１３５よりも便器１６１の側へ出る場合がある。この場合には、図８に表したように、両側部１３９ｃの高さを中央部１３８ｃの高さよりも低くすることで、ボウル部１３１から溢れた水を両側部１３９ｃから落とすことができる。つまり、図８に表した矢印Ａ１７〜Ａ２０に表したように、水がボウル部１３１から溢れた場合でも、第１のライニング１１０の前面１１３から離間している手洗い器１３０の前縁の両側部１３９ｃから水を落とすことができる。そのため、ボウル部１３１から溢れた水が第１の操作部１４１および第２の操作部１４２へ流れることを抑えることができる。
【００５６】
図９および図１０は、本発明の他の実施の形態にかかるトイレユニットを表す模式的平面図である。  
なお、図９は、床面１０５に対して垂直方向にみたときの模式的平面図である。図１０は、第２のライニング１２０の前面１２３あるいは第２の壁面１０２に対して垂直な方向にみたときの模式的平面図である。
【００５７】
本実施形態にかかるトイレユニット２００は、図１〜図５に関して前述したトイレユニット１００に対して、人工肛門や人工膀胱などの保持者であるオストメイトと呼ばれる人々が主として使用する汚物流しユニット２１０をさらに備える。本実施形態の汚物流しユニット２１０は、ボウル部２１１と、水栓２１２と、鏡２１３と、第１の操作部２１４と、第２の操作部２１５と、液体石鹸供給器２１６と、トイレットペーパーホルダー２１７と、を有する。
【００５８】
ボウル部２１１は、第２のライニング１２０に並列して設けられた第３のライニング２３０の前面２３３に設置されている。ボウル部２１１は、例えば、陶器、合成樹脂、合成樹脂にセラミック材、陶器粉を混入させたものなどにより形成されている。ボウル部２１１は、汚物の洗浄や投入がしやすいように上面が大きく開口され、前面にはリップ部２１１ａを有する。
【００５９】
水栓２１２、鏡２１３、第１の操作部２１４、および液体石鹸供給器２１６は、ボウル部２１１の上方の第３のライニング２３０の前面２３３に設置されている。オストメイトなどの使用者は、第１の操作部２１４を操作することにより水栓２１２から水を吐出させることができる。第２の操作部２１５およびトイレットペーパーホルダー２１７は、ボウル部２１１の斜め上方の第３のライニング２３０の前面２３３に設置されている。第２の操作部２１５は、汚物流しユニット２１０のボウル部２１１の洗浄動作の指令をするためのスイッチを有する。その他のトイレユニット２００の構造は、図１〜図４に関して前述したトイレユニット１００の構造と同様である。
【００６０】
本実施形態にかかるトイレユニット２００によれば、オストメイトは、前かがみになり腹部をリップ部２１１ａに押し当てた状態で汚物の廃棄や洗浄などの作業を容易に行うことができる。また、本実施形態によれば、汚物流しユニット２１０が設けられた場合でも、トイレユニット２００の大きさを抑えることができる。
【００６１】
すなわち、図３および図４に関して前述したように、第１の操作部１４１および第２の操作部１４２は、手洗い器１３０の下方に設けられている。例えば、第１のライニング１１０の前面１１３に対して垂直方向にみたときに、第１の操作部１４１および第２の操作部１４２は、例えば手洗い器１３０の幅Ｄ３の範囲内であって、手洗い器１３０の下方に設けられている。そのため、第１のライニング１１０の水平方向の幅を抑えることができる。また、汚物流しユニット２１０の水栓２１２および第１の操作部２１４などをボウル部２１１の上方に設置することで、第２のライニング１２０および第３のライニング２３０のそれぞれの水平方向の幅を抑えることができる。
【００６２】
本実施形態にかかるトイレユニット２００の前後方向の幅Ｄ５は、例えば約１７８０〜１８２０ｍｍ程度である。また、本実施形態にかかるトイレユニット２００の左右方向の幅Ｄ６は、例えば約１７８０〜１８２０ｍｍ程度である。また、第３のライニング２３０の側面がトイレブースなどの空間に露出する場合には、これを側面板で覆うようにすることが好ましい。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、第１の操作部１４１、第２の操作部１４２、および手洗い器１３０などが備える各要素の形状、寸法、材質、配置などや第１の操作部１４１、第２の操作部１４２、手洗い器１３０、第１のライニング１１０などの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１００ トイレユニット、  １０１ 第１の壁面、  １０２ 第２の壁面、  １０５ 床面、  １１０ 第１のライニング、  １１１ 上面、  １１２ 係合部、  １１３ 前面、  １１５ 前板、  １１７ 点検口、  １１８ 第１のパネル、  １１８ａ 係合部、  １１９ 第２のパネル、  １１９ａ 支持軸、  １２０ 第２のライニング、  １２３ 前面、  １３０、１３０ａ、１３０ｂ、１３０ｃ 手洗い器、  １３１ ボウル部、  １３１ａ 排水口、  １３３ 水栓、  １３３ａ 吐水口、  １３４ 上板、  １３５ 前板、  １３５ａ 裏面、  １３６ 排水トラップ、  １３７ 水栓機能部、  １３８ａ、１３８ｂ、１３８ｃ 中央部、  １３９ａ、１３９ｂ、１３９ｃ 両側部、  １４１ 第１の操作部、  １４２ 第２の操作部、  １４５ 非常呼び出しボタン、  １５０ 洗面器、  １５１ ボウル部、  １５３ 水栓、  １５３ａ 吐水口、  １５５ 液体石鹸供給器、  １５７ 鏡、  １６１ 便器、  １６３ 衛生洗浄装置、  １６５ 便座、  １６７ 背もたれ、  １７１ 固定手すり、  １７１ａ 水平部、  １７１ｂ 垂直部、  １７１ｃ 固定部、  １７３ 跳ね上げ手すり、  １８１ ダストボックス、  １８３ 投入口、  １８５ トイレットペーパーホルダー、  ２００ トイレユニット、  ２１０ 汚物流しユニット、  ２１１ ボウル部、  ２１１ａ リップ部、  ２１２ 水栓、  ２１３ 鏡、  ２１４ 第１の操作部、  ２１５ 第２の操作部、  ２１６ 液体石鹸供給器、  ２１７ トイレットペーパーホルダー、  ２３０ 第３のライニング、  ２３３ 前面
【図１】
2018175993.tif 000003
【図２】
2018175993.tif 000004
【図３】
2018175993.tif 000005
【図４】
2018175993.tif 000006
【図５】
2018175993.tif 000007
【図６】
2018175993.tif 000008
【図７】
2018175993.tif 000009
【図８】
2018175993.tif 000010
【図９】
2018175993.tif 000011
【図１０】
2018175993.tif 000012
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
便器と、
前記便器の側方においてトイレブースの壁面から突出して設けられたライニングと、
前記ライニングの上面に設けられた手洗い器と、
前記手洗い器の下方において前記ライニングの前面を形成するパネルに設けられた操作部と、
を備え、
前記ライニングの前記前面に対して垂直方向にみたときに、前記手洗い器と前記操作部とが上下方向に連なっており、
前記パネルは、前記ライニングから取り外し可能とされ、
前記ライニング内において、前記手洗い器のボウル部と前記操作部との間には、前記パネルを前記ライニングから取り外す際の可動方向に空間が形成されていることを特徴とするトイレユニット。
【請求項２】
前記可動方向は、上方であることを特徴とする請求項１記載のトイレユニット。
【請求項３】
前記手洗い器は、前記パネルを前記上方に移動させるために前記パネルの上方に設けられた空間を覆い隠す前板を有することを特徴とする請求項２記載のトイレユニット。
【請求項４】
前記ボウル部の前記パネルに対向する前面は、上方に向けて前記パネルに近接するように傾斜してなることを特徴とする請求項１〜３のいずれか１つに記載のトイレユニット。
【請求項５】
前記ボウル部の前記パネルに対向する前記前面は、凹んでいることを特徴とする請求項４記載のトイレユニット。
【手続補正２】
【補正対象書類名】明細書
【補正対象項目名】０００７
【補正方法】変更
【補正の内容】
【０００７】
第１の発明は、便器と、前記便器の側方においてトイレブースの壁面から突出して設けられたライニングと、前記ライニングの上面に設けられた手洗い器と、前記手洗い器の下方において前記ライニングの前面を形成するパネルに設けられた操作部と、を備え、前記ライニングの前記前面に対して垂直方向にみたときに、前記手洗い器と前記操作部とが上下方向に連なっており、前記パネルは、前記ライニングから取り外し可能とされ、前記ライニング内において、前記手洗い器のボウル部と前記操作部との間には、前記パネルを前記ライニングから取り外す際の可動方向に空間が形成されていることを特徴とするトイレユニットである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】